(57)【要約】【課題】光源からの光をより効率的に集光するとともに、集光から散光までの調整が可能なスポットライト用バンドアー、特に、蛍光灯を光源とするスポットライトに用いて好適なスポットライト用バンドアーを提供する。【解決手段】本発明に係るバンドアーは、略半球面を有するリフレクタ３と、半球面ミラーの底部中心に配備された蛍光ランプ２とを備えるスポットライトに用いられ、内面が鏡面によって形成された反射板４ａを備え、反射板４ａは、リフレクタ３の開口周側面８に着脱自在に取り付けられ、反射板４ａの先端の開口円直径が、リフレクタ３の開口円直径よりも大きい円錐筒状を形成してなる。また、反射板４ａは、先端がリフレクタ３の開口周側面８を中心として先端部の開口円直径を大きくする方向に回動可能であり、蛍光ランプ２からの光を任意の角度で反射させ、集光から散光まで変化させる。【選択図】  図１
2005085505.tif 000002
【特許請求の範囲】
【請求項１】
略半球面を有する半球面ミラーと、前記半球面ミラーの底部中心に配備された光源とを備えるスポットライトに用いられるバンドアーであって、
内面が鏡面によって形成された反射部を備え、
前記反射部は、前記半球面ミラーの開口周側面に着脱自在に取り付けられ、
前記反射部の先端の開口円直径が、前記半球面ミラーの開口円直径よりも大きい円錐筒状を形成してなることを特徴とするバンドアー。
【請求項２】
前記反射部は、複数の反射板により構成されており、前記反射板のそれぞれは、前記反射板の先端が前記開口周側面を中心として前記先端の開口円直径を大きくする方向に回動可能であり、前記光源からの光を任意の角度で反射させ、集光から散光まで変化させることを特徴とする請求項１に記載のバンドアー。
【請求項３】
前記光源として、コンパクト形蛍光灯を備える前記スポットライトに用いられることを特徴とする請求項１または２に記載のバンドアー。
【発明の詳細な説明】
【技術分野】
【０００１】
本発明は、テレビ照明などに用いられるスポットライトに着脱可能に取り付けられ、灯体の前方に照射される光の範囲や光量を調節するスポットライト用バンドアーに関する。
【背景技術】
【０００２】
従来、テレビ照明などに用いられるスポットライトに着脱可能に取り付けられるバンドアーは、図１７に示すように、一般に灯体４０の開口周側面４１に配備されている矩形状の矩形遮光板１０と、先端が先細りの形状となっている先細遮光板２０と、開口周側面４１に取り付けられ、矩形遮光板１０及び先細遮光板２０を支えるフレーム３０とによって構成されている（例えば、特許文献１）。
【０００３】
かかるバンドアーは、矩形遮光板１０と先細遮光板２０とを開閉することにより形成される開口面積を変化させ、照射される光の範囲や光量を調節する。
【特許文献１】特開平１１−２２４５０８号公報（第３頁、第５図）
【発明の開示】
【発明が解決しようとする課題】
【０００４】
ところで、近年、消費電力量や発熱量を低減することを目的として、テレビ照明などにおいても、従来の白熱灯に代えて、蛍光灯が採用されるようになっている。蛍光灯は、その構造上、白熱灯と比較して発光部分の面積が広いため、テレビ照明などのスポットライトとして蛍光灯を用いる場合、広い発光部分からの光を効率的に集光して、照明の対象物に照射することが要求されるケースも多くなってきている。
【０００５】
しかしながら、上述したような従来のバンドアーを用いて、蛍光灯を光源としたスポットライトによって照射される光の範囲や光量を調節しようとした場合、バンドアーの表面が、黒色などで塗装されているため、蛍光灯からの光を効率的に集光することができないという問題があった。
【０００６】
さらに、図１７に示したように、矩形遮光板１０の先端部と、先細遮光板２０の先端部を当接させて、開口面積を狭めた場合以外は、矩形遮光板１０と先細遮光板２０との間に隙間が形成され、この隙間から光が漏れるため、蛍光灯からの光を充分に集光することができないという問題があった。
【０００７】
また、灯体に具備されるリフレクタ（ミラー）により、蛍光灯の光を効率的に集光しようとした場合、リフレクタを大型化することを余儀なくされ、灯体自体の寸法や重量がいきおい増大し、灯体の運搬や収納などが不便になるといった問題があった。
【０００８】
そこで、本発明は、以上の点に鑑みてなされたもので、光源からの光をより効率的に集光するとともに、集光から散光までの調整が可能なスポットライト用バンドアー、特に、蛍光灯を光源とするスポットライトに用いて好適なスポットライト用バンドアーを提供するをその目的とする。
【課題を解決するための手段】
【０００９】
上述した問題を解決するために、本発明は、次のような特徴を有している。まず、本発明の第１の特徴は、略半球面を有する半球面ミラー（リフレクタ３）と、前記半球面ミラーの底部中心に配備された光源（例えば、蛍光ランプ２）とを備えるスポットライトに用いられるバンドアーであって、内面が鏡面によって形成された反射部（反射部４ｇ）を備え、前記反射部は、前記半球面ミラーの開口周側面（開口周側面８）に着脱自在に取り付けられ、前記反射部の先端の開口円直径が、前記半球面ミラーの開口円直径よりも大きい円錐筒状を形成してなるバンドアーであることを要旨とする。
【００１０】
かかる特徴によれば、反射部の内面が鏡面形成されているため、光源からの光の減衰を極力抑えつつ集光することができる。
【００１１】
また、かかる特徴によれば、バンドアーをスポットライトの開口周側面に着脱自在に取り付けられるようにしたため、バンドアー及びスポットライトの運搬時などに便利である。
【００１２】
本発明の第２の特徴は、本発明の第１の特徴において、前記反射部が、複数の反射板（反射板４ａ）により構成されており、前記反射板のそれぞれは、前記反射板の先端が前記開口周側面（開口周側面８）を中心として前記先端の開口円直径を大きくする方向に回動可能であり、前記光源からの光を任意の角度で反射させ、集光から散光まで変化させることを要旨とする。
【００１３】
かかる特徴によれば、反射板が開口円直径を大きくする方向に回動可能なため、照明の対象物に応じて、照射される光の範囲や光量を調節することができる。
【００１４】
さらに、かかる特徴によれば、複数の反射板によって円錐筒状を形成するため、開口円直径を大きくする方向に当該反射板を回動した場合においても、従来のバンドアーと比較して、各反射板の間に形成される隙間を狭くすることが可能となり、当該隙間から漏れる光を低減することができる。
【００１５】
また、かかる特徴によれば、バンドアーが複数の反射板によって構成されるため、反射板を折り畳んだり、重ねたりすることができるため、バンドアーの運搬や収容がさらに便利となる。
【００１６】
本発明の第３の特徴は、本発明の第１または第２の特徴において、前記光源として、コンパクト形蛍光灯、例えば、OSRAM社製FHT42EX-Lを備える前記スポットライトに用いられるバンドアーであることを要旨とする。
【００１７】
かかる特徴によれば、白熱灯と比較して、より効率的に集光することが要求されるとともに、高効率、省電力及び低発熱を特徴とし、テレビ照明などにおいて採用される機会が増加している蛍光灯スポットライトに好適なバンドアーを提供することができる。
【発明の効果】
【００１８】
本発明によれば、光源からの光をより効率的に集光するとともに、集光から散光までの調整が可能なスポットライト用バンドアー、特に、蛍光灯を光源とするスポットライトに用いて好適なスポットライト用バンドアーを提供することができる。
【発明を実施するための最良の形態】
【００１９】
（本実施形態に係るバンドアーの構成）
本発明の実施形態について図面を参照しながら説明する。まず、本実施形態に係るバンドアー及びバンドア−が装着されるスポットライトの外観について、説明する。
【００２０】
図１は、本実施形態に係るバンドアー４を含むスポットライトの斜視図である。また、図２は、バンドアー４を含むスポットライトの正面図及び左側面図である。さらに、図３〜図６は、バンドアー４の正面図、背面図、平面図及び斜視図をそれぞれ示している。
【００２１】
図７は、バンドアー４を構成する反射板４ａを半開及び全開とした状態を示す図である。
【００２２】
図８〜図１０は、バンドアー４を含むスポットライトの背面図、平面図及び底面図をそれぞれ示している。また、図１１は、バンドアー４を構成する反射板４ａを全開とした場合におけるバンドアーを含むスポットライトの斜視図である。さらに、図１２は、バンドアー４をスポットライトから取り外した状態を示す図である。
【００２３】
次に、バンドアー４及びバンドアー４が装着されるスポットライトの構成について説明する。
【００２４】
図１及び図２に示すように、本実施形態に係るスポットライトは、灯体１と、蛍光ランプ２と、リフレクタ３と、アーム５とによって構成されている。
【００２５】
蛍光ランプ２は、略半球面を有するリフレクタ３の底部中心に配備されている。また、蛍光ランプ２は、いわゆるコンパクト形蛍光灯であって、例えば、OSRAM社製FHT42EX-L（42W）を用いることができる。
【００２６】
リフレクタ３は、表面が鏡面形成された略半球面を有するミラーによって構成され、灯体１に収容されている。なお、リフレクタ３が有する略半球面とは、楕球状、砲弾状、放物面状などの形状を含むものとする。
【００２７】
また、バンドアー４は、反射板４ａと、支持金具４ｂと、フレーム４ｃと、ボルト４ｄとによって構成されている。
【００２８】
反射板４ａは、リフレクタ３が収容される灯体１の開口周側面８に配備され、本実施形態では、４枚の反射板４ａを用いて、灯体１の開口周を取り囲むように構成される。なお、反射板４ａの枚数は、４枚以外でもよく、例えば、より細かく分割した８枚の反射板を用いて構成してもよい。
【００２９】
また、円錐筒状を形成する各反射板４ａの内面は、鏡面処理が施されており、蛍光ランプ２から直接到達した光や、リフレクタ３を介して到達した光を反射するようになっている。反射板４ａとしては、例えばステンレス鋼を用いることができる。
【００３０】
また、反射板４ａは、支持金具４ｂによって、フレーム４ｃに取り付けられている。具体的には、支持金具４ｂは、一端を反射板４ａにボルト４ｄによって固定され、他端は、フレーム４ｃを挟んで反射板４ａが角度を自由に変えられるように構成されている。
【００３１】
また、図２（ａ）に示すように、リフレクタ３の底部中心には、蛍光ランプ２が配備されている。また、４枚の反射板４ａの先端によって形成される開口円直径は、リフレクタ３（灯体１）の開口円直径よりも大きくなっている。つまり、図１（ａ）や図２（ｂ）に示すように、反射板４ａによって形成されるバンドアーの形状は、概ね円錐筒状となっている。
【００３２】
また、本実施形態に係るバンドアー及びスポットライトの寸法は、図２（ａ）に示したＡ区間、すなわち灯体１の開口部直径が概ね226mm、図２（ｂ）に示したＢ区間、すなわち反射板４ａやフレーム４ｃによって構成されるバンドアーが概ね160mm、Ｃ区間、すなわち灯体１が概ね300mm、Ｄ区間、すなわち反射板４ａの先端により形成される開口円直径が概ね３３７mmである。
【００３３】
さらに、図２（ｂ）に示すように、灯体１の先端上部には、バンドアー着脱用ネジ６が設けられ、また、灯体１先端部の上下左右の４箇所には、フレーム４ｃを係止する係止金具7が設けられている。
【００３４】
バンドアー着脱用ネジ６と共締めされている係止金具7は、バンドアー着脱用ネジ６を緩めることによりフリーとなり、フレーム４ｃを上方向から、灯体１先端部の下、及び左右に設けられている係止金具7よって係止される位置までスライドさせることにより、スポットライトの灯体１にバンドアー４を着脱自在に取り付けられるように構成されている。
【００３５】
また、係止金具7は、灯体１の開口周側面８から一定の間隔を有して内側に折れ曲げられており、フレーム４ｃを係止することができるようになっている。
【００３６】
図７（ａ）及び（ｂ）に示すように、バンドアー４は反射板４ａを支持する支持金具４ｂを中心にして、バンドアー４の各反射板４ａを全開状態まで回動させることができる。
【００３７】
同図に示すように、フレーム４ｃは、支持金具４ｂが取り付けられている方形状フレームと、方形フレームにより形成される方形の内側に設けられている円形状フレームとによって構成される。
【００３８】
円形状フレームの直径は、灯体１、すなわちリフレクタ３の開口部直径とほぼ同一であり、方形状フレームに取り付けられている反射板４ａは、開口周側面８のやや外側に位置するようになっている。このような形状とすることにより、反射板４ａを回動させた場合にも、灯体１と干渉することなく、反射板４ａを自由に回動させることができる。
【００３９】
図７（ａ）及び（ｂ）に示すように、反射板４ａは、任意の位置に回動可能であり、照明の対象物との距離などに応じて、蛍光ランプ２から照射される光の範囲や光量を調節する、つまり、遠方により多くの光を照射し、手前側の光を少なく配光する、いわゆるフォーカシングを行うことができる。
【００４０】
また、上述したように、バンドアー４は、４枚の反射板４ａにより、円錐筒状を形成するため、図７（ａ）に示すように、反射板４ａを半開状態とした場合においても、各反射板４ａの間に形成される隙間は、図１７に示した従来のバンドアーと比較すると、狭くすることができる。すなわち、反射板４ａの内面が鏡面形成されていることと相まって、反射板４ａが半開状態においても、蛍光ランプ２からの光を効率的に集光しつつ、照射される光の範囲や光量を調節することができる。
【００４１】
次に、図１３を参照して、反射板４ａが全開状態及び半開状態における光の反射状態について説明する。図１３（ａ）に示すように、反射板４ａが全開状態の場合、蛍光ランプ２からの光束（図中の矢印）は、反射板４ａで反射されることなく散光する。かかる場合、被照射物には、蛍光ランプ２からの直接光及びリフレクタ３によって反射された光が照射されることとなる。
【００４２】
一方、図１３（ｂ）に示すように、反射板４ａが半開状態の場合、蛍光ランプ２からの光束は、反射板４ａで前方方向に進むように反射する。すなわち、かかる場合、被照射物には、蛍光ランプ２からの直接光と、リフレクタ３によって反射された光と、反射板４ａによって反射された光とが照射されることとなる。つまり、被照射物に照射される光量を増大させることが可能となる。
【００４３】
上述した寸法を有するバンドアー４と、蛍光ランプ２とを用いた場合、図１３（ａ）に示した反射板４ａが全開状態の場合と、図６に示すように、反射板４ａを完全に閉じた場合とを比較すると、反射板４ａを完全に閉じた場合における被照射物に到達する光量は、実測値で、反射板４ａを全開状態とした場合の概ね２倍とすることができる。つまり、反射板４ａを回動させることにより、概ね１絞り分の光量を変化させることができる。
【００４４】
また、図１４は、図１３に示した蛍光ランプ２からの光の反射状態と比較するために、白熱灯２’と、図１３に示したリフレクタと同一の寸法及び形状を有するリフレクタであるリフレクタ３とを用いるスポットライトにおける白熱灯２’からの光束の進行方向を示している。図１４に示すように、白熱灯２’は、蛍光ランプ２と比較して、発光部分の面積が狭いため、白熱灯２’からの光束のうち、リフレクタ３で反射せずに散光してしまう光束は、図１３に示した蛍光ランプ２の場合と比較して少ない。
【００４５】
すなわち、蛍光ランプ２の場合、白熱灯２’と比較して、リフレクタ３のみでは散光する光束が多くなるが、バンドアー４を用いることにより、蛍光ランプ２からの光束を前方方向に反射させ、被照射物に照射される光量を増大させることができる。
【００４６】
図１５は、バンドアー４を灯体１から取り外し、各反射板４ａを内側に折り畳んだ状態を示している。同図に示すように、バンドアー４は、灯体１から容易に取り外すことができ、かつ、折り畳むことができるため、運搬や収納する際に都合がよい。また、本実施形態では、反射板４ａをボルト４ｄを用いて支持金具４ｂに固定する形態としているが、ボルト４ｄに代えて、着脱容易なホックなどを用いてもよく、かかる場合には、各反射板４ａを支持金具４ｂから取り外して重ねることができるため、さらに運搬や収納に都合がよい。
【００４７】
（本実施形態に係るバンドアーによる作用・効果）
以上、本発明の実施形態について説明したが、本実施形態に係るバンドアー４によれば、反射板４ａの内面が鏡面形成されているため、蛍光ランプ２からの光の減衰を極力抑えつつ集光することができる。
【００４８】
また、本実施形態によれば、バンドアー４を灯体１の開口周側面８に着脱自在に取り付けられるようにしたため、バンドアー４及び灯体１の運搬時などに便利である。
【００４９】
さらに、本実施形態によれば、反射板４ａが開口円直径を大きくする方向に回動可能なため、照明の対象物に応じて、照射される光の範囲や光量を調節することができる。
【００５０】
また、本実施形態によれば、反射板４ａによって円錐筒状を形成するため、反射板４ａを開口円直径を大きくする方向に回動した場合においても、従来のバンドアーと比較して、各反射板４ａの間に形成される隙間を狭くすることが可能となり、当該隙間から漏れる光を低減することができる。
【００５１】
さらに、かかる特徴によれば、バンドアー４が複数の反射板４ａによって構成されているため、反射板４ａを折り畳んだり、重ねたりすることができるため、バンドアー４の運搬や収容がさらに便利となる。
【００５２】
すなわち、上述した本実施形態によれば、白熱灯と比較して、より効率的に集光することが要求される蛍光灯を用いた半球面ミラーを有するスポットライトに好適なバンドアーを提供することができる。
【００５３】
もっとも、本発明は、その適用範囲を蛍光灯を光源とするスポットライトに限定するものではなく、白熱灯を光源とするスポットライトに適用することも勿論可能である。
【００５４】
（変更例）
上述した本実施形態に係るバンドアー４は、図１６に示すように変更することもできる。図１６（ａ）に示すように、本変更例に係るバンドアー４’は、内面が鏡面によって形成された反射部４ｇを備え、反射部４ｇは、図１６（ｂ）に示すように、リフレクタ３の開口周側面８に着脱自在に取り付けられ、反射部４ｇの先端の開口円直径が、リフレクタ３の開口円直径よりも大きい円錐筒状を形成してなることを特徴とする。
【００５５】
本変更例に係るバンドアー４’によれば、上述した本実施形態に係るバンドアー４と同様に、光源からの光の減衰を極力抑えつつ集光すること、不要な方向へ光が散光することを低減すること、及びバンドアー及びスポットライトの運搬時などの利便性を備えつつ、バンドアー４と比較して、その構造を簡素化し、製造コストの低減に寄与するバンドアーを提供することができる。
【図面の簡単な説明】
【００５６】
【図１】本発明の実施形態に係るバンドアーを含むスポットライトの斜視図。
【図２】本発明の実施形態に係るバンドアーを含むスポットライトの正面図及び左側面図。
【図３】本発明の実施形態に係るバンドアーの正面図。
【図４】本発明の実施形態に係るバンドアーの背面図。
【図５】本発明の実施形態に係るバンドアーの平面図。
【図６】本発明の実施形態に係るバンドアーの斜視図。
【図７】本発明の実施形態に係るバンドアーの反射板を半開及び全開とした状態を示す図。
【図８】本発明の実施形態に係るバンドアーを含むスポットライトの背面図。
【図９】本発明の実施形態に係るバンドアーを含むスポットライトの平面図。
【図１０】本発明の実施形態に係るバンドアーを含むスポットライトの底面図。
【図１１】本発明の実施形態に係るバンドアーの反射板を全開とした場合におけるバンドアーを含むスポットライトの斜視図。
【図１２】本発明の実施形態に係るバンドアーを取り外したスポットライトを示す図。
【図１３】本発明の実施形態に係るバンドアーの反射板を全開及び半開とした場合における光の反射状態を示す図。
【図１４】スポットライトの光源として白熱灯を用いた場合における光の進行方向を示す図。
【図１５】本発明の実施形態に係るバンドアーの反射板を折り畳んだ状態を示す図。
【図１６】本発明の変更例に係るバンドアーを含むスポットライトの斜視図。
【図１７】従来のバンドアーを示す図。
【符号の説明】
【００５７】
１…灯体、２…蛍光ランプ、２’…白熱灯、３…リフレクタ、４，４’…バンドアー、４ａ…反射板、４ｂ…支持金具、４ｃ…フレーム、４ｄ…ボルト、４ｇ…反射部、５…アーム、６…バンドアー着脱用ネジ、７…係止金具、８…開口周側面、１０…矩形遮光板、２０…先細遮光板、３０…フレーム、４０…灯体、４１…開口周側面
【図１】
2005085505.tif 000003
【図２】
2005085505.tif 000004
【図３】
2005085505.tif 000005
【図４】
2005085505.tif 000006
【図５】
2005085505.tif 000007
【図６】
2005085505.tif 000008
【図７】
2005085505.tif 000009
【図８】
2005085505.tif 000010
【図９】
2005085505.tif 000011
【図１０】
2005085505.tif 000012
【図１１】
2005085505.tif 000013
【図１２】
2005085505.tif 000014
【図１３】
2005085505.tif 000015
【図１４】
2005085505.tif 000016
【図１５】
2005085505.tif 000017
【図１６】
2005085505.tif 000018
【図１７】
2005085505.tif 000019